(57)【要約】  本発明は、本体（２２，７４，８６）と、パネル（２４，７６）と、ハンドル組立体（２６，７８）とを含む、容器に関する。本体（２２，７４，８６）は、容器（２０，７２，８４）の密閉された容積（３０）を定め、幅（Ｗ１）を有し且つ本体（２２，７４，８６）の第１の端（３２）と第２の端（３４）との間で長手に延びる少なくとも２つの対向する壁（３６，３８）を更に含む。パネル（２４，７６）は、内表面（４６）と、幅（Ｗ４）及び長さ（Ｌ１）と、パネル（２４，７６）を本体（２２，７４，８６）に固定的に安定化させる安定化手段とを含む。ハンドル組立体（２６，７８）は、パネル（２４，７６）と本体（２２，７４，８６）との間に作り出される空間（５４，８２）内に少なくとも部分的に配置され、ハンドル組立体（２６，７８）は、計量分配孔（２８）を有し、ハンドル組立体（２６，７８）は、空間（５４，８２）内で滑動可能である。容器を形成する方法及び容器を計量分配する方法も議論される。
2014534132.tif 000002
【特許請求の範囲】
【請求項１】
本体と、
少なくとも１つのパネルと、
該少なくとも１つのパネルと前記本体との間に作り出される少なくとも１つの空間内に少なくとも部分的に配置されるハンドル組立体とを含む、
容器であって、
前記本体は、第１の端と、第２の端とを有し、前記本体は、当該容器の密閉された容積を定め、幅を有し且つ前記第１の端と前記第２の端との間に長手に延びる少なくとも２つの対向する壁を更に含み、
前記少なくとも１つのパネルは、外表面と、内表面と、幅及び長さと、前記少なくとも１つのパネルを前記本体に固定的に安定化させる安定化手段とを有し、
前記ハンドル組立体は、前記少なくとも１つの空間内で滑動可能であり、
前記本体、前記少なくとも１つのパネル、及び前記ハンドル組立体は、各々、整列可能な計量分配手段を有する、
容器。
【請求項２】
前記計量分配手段は、本体孔、パネル孔、及び計量分配孔で構成される群から選択される、請求項１に記載の容器。
【請求項３】
前記本体孔、前記計量分配孔、及び前記パネル孔の少なくとも部分的な整列は、当該容器の開口を定める、請求項２に記載の容器。
【請求項４】
前記本体孔及び／又は前記パネル孔に対する前記計量分配孔の移動は、前記開口の大きさを調節する、請求項２又は３に記載の容器。
【請求項５】
前記少なくとも１つのパネルを前記本体に固定的に安定化させる前記安定化手段は、接着剤、ヒートシール、縁ボンド、及びスティッチのうちの少なくとも１つを含む、請求項１乃至４のうちのいずれか１項に記載の容器。
【請求項６】
前記ハンドル組立体は、対向する両端に、第１のハンドル及び第２のハンドルとを含み、前記第１のハンドル及び前記第２のハンドルは、当該容器内の材料の重量を支持するよう構成される、請求項１乃至５のうちのいずれか１項に記載の容器。
【請求項７】
前記ハンドル組立体は、取付けタブを含む対向する両端を含み、前記ハンドル組立体の少なくとも１つの取付けタブは、接続手段によって当該容器に解放可能に接続され、前記接続手段は、ヒートシール、穿孔付き継ぎ目、開封帯、解放可能な接着剤、及びベルクロ（登録商標）のうちの少なくとも１つを含む、請求項１乃至６のうちのいずれか１項に記載の容器。
【請求項８】
前記ハンドル組立体の前記少なくとも１つの取付けタブは、前記本体の前記少なくとも２つの対向する壁のうちの少なくとも１つの壁、前記本体の前記第１の端、前記本体の前記第２の端、前記少なくとも１つのパネルの前記外表面、及び前記パネルの前記内表面のうちの少なくとも１つに解放可能に接続される、請求項７に記載の容器。
【請求項９】
前記ハンドル組立体は、連続的なループである、請求項１乃至８のうちのいずれか１項に記載の容器。
【請求項１０】
容器であって、
本体と、
パネルと、
ハンドル組立体と、
当該容器から材料を計量分配するための手段とを含み、
前記本体は、第１の端と、第２の端とを有し、前記本体は、当該容器の密閉された容積を定め、前記第１の端と前記第２の端との間に長手に延びる少なくとも２つの対向する壁を更に含み、
前記パネルは、内表面と、前記パネルを前記本体に固定的に安定化させるための手段とを有し、
前記ハンドル組立体は、対向する両端に、第１のハンドルと、第２のハンドルとを有し、前記ハンドル組立体は、前記パネルと前記本体との間に作り出される空間内に少なくとも部分的に配置され、前記ハンドル組立体は、前記空間内で滑動可能であり、前記ハンドル組立体は、少なくとも１つのハンドルが前記パネルと前記本体との間の前記空間内に進むのを防止するための手段を有し、
当該容器から材料を計量分配するための手段は、本体孔、パネル孔、及びハンドル組立体計量分配孔を通じて材料を計量分配することを含み、当該容器から材料を計量分配するための手段は、材料が当該容器を少なくとも部分的に充填する前に少なくとも１つの孔が少なくとも部分的に形成されること、及び前記材料が当該容器を少なくとも部分的に充填した後に少なくとも１つの孔が形成されることのうちの少なくとも１つを含む、
容器。
【請求項１１】
前記少なくとも１つのハンドルが前記パネルと前記本体との間の前記空間内に進むことを防止するための手段は、少なくとも１つのハンドル厚さが前記パネルと前記本体との間の前記空間以上であること、少なくとも１つのハンドルが前記空間内に嵌り込まない非平面的な表面を含むこと、少なくとも１つのハンドルが前記少なくとも１つのハンドルに取り付けられるスペーサを含むこと、及び前記少なくとも１つのハンドルが摩擦材料を含むことのうちの少なくとも１つを含む、請求項１０に記載の容器。
【請求項１２】
前記第１のハンドルは、第１のハンドル厚さを有し、前記第２のハンドルは、第２のハンドル厚さを有し、前記少なくとも１つのハンドルが前記パネルと前記本体との間の前記空間内に進むことを防止するための手段は、少なくとも１つのハンドル厚さを含み、前記第１のハンドル厚さ及び前記第２のハンドル厚さは、非均等である、請求項１０又は１１に記載の容器。
【請求項１３】
容器を形成する方法であって、
本体を形成すること、
ハンドル組立体を形成すること、
パネルを形成すること、及び
該パネルと前記本体との間に空間を形成するよう、安定化手段を用いて前記パネルを前記本体に固定的に安定化させることを含み、
前記本体は、第１の端と、第２の端とを有し、前記第１の端と前記第２の端との間に長手に延びる少なくとも２つの対向する壁を更に含み、該少なくとも２つの対向する壁は、長手に接合され、且つ少なくとも前記第２の端で横方向に接合され、
前記ハンドル組立体は、２つの端と、計量分配孔とを有し、
前記パネルは、外表面と、内表面と、幅と、長さとを有し、
前記ハンドル組立体は、前記空間内に少なくとも部分的に配置される、
方法。
【請求項１４】
前記容器は、前記本体が本体孔を含むこと、前記パネルがパネル孔を含むことのうちの少なくとも１つを更に含み、前記本体孔及び前記パネル孔は、使用者によって形成される、請求項１３に記載の方法。
【請求項１５】
材料を計量分配する方法であって、
容器を得ることを含み、該容器は、本体と、ハンドル組立体と、パネルとを有し、前記本体は、本体孔を有し、前記本体は、材料を収容する容積を保持可能であり、前記ハンドル組立体は、少なくとも２つの端と、それらの間の計量分配孔とを有し、前記パネルは、前記パネルと前記本体との間に空間を形成するよう、安定化手段によって前記本体に固定的に安定化させられるパネル孔を有し、前記ハンドル組立体は、前記空間内に少なくとも部分的に配置され、
前記ハンドル組立体によって前記容器を保持することを含み、
前記計量分配孔を少なくとも１つの本体孔に対して移動させるために、前記ハンドル組立体の少なくとも１つの端を移動させることを含み、
前記計量分配孔を少なくとも前記本体孔と少なくとも部分的に整列させることによって、前記容器から前記材料を調節可能に計量分配することを含む、
方法。
【請求項１６】
特定の計量分配速度を選択するために、前記ハンドル組立体の少なくとも１つの端を表示手段と整列させることを更に含む、請求項１５に記載の方法。
【発明の詳細な説明】
【技術分野】
【０００１】
ここに記載する発明は、概ね、ハンドル組立体を有する請求項１及び１０に従った容器、並びに請求項１３及び１５に従った容器を作製する方法及び使用する方法に関する。
【背景技術】
【０００２】
無数の製品が毎日包装されて国内及び世界中の最終使用者に搬送されている。多くの材料、例えば、溶接に用いられるフラックス材料は容器内に包装され、次に、顧客に搬送されている。一部の場合、容器の取扱い、容器の開放、容器から計量分配する材料の流れの制御、及び容器の再封止は困難であり、容器の損傷及び／又は一部の材料の流出を招き得る。
【発明の概要】
【発明が解決しようとする課題】
【０００３】
容器の取扱い及び材料の制御の前述の問題及び欠点に鑑み、本出願はこれらの欠点を克服するハンドル組立体を有する容器を記載する。
【課題を解決するための手段】
【０００４】
この問題は、請求項１及び１０に従った容器によって並びに請求項１３及び１５に従った方法によって解決される。本発明の更なる実施態様は、従属項の主題である。本発明によれば、本体と、少なくとも１つのパネルと、ハンドル組立体とを含む、容器が提供される。本体は、第１の端と、第２の端とを含み、本体は、容器の密閉された容積を定め、幅を有し且つ第１の端と第２の端との間で長手に延びる少なくとも２つの対向する壁を更に含む。少なくとも１つのパネルは、外表面と、内表面と、幅及び長さと、少なくとも１つのパネルを本体に固定的に安定化させる安定化手段とを含む。加えて、ハンドル組立体は、少なくとも１つのパネルと本体との間に作り出される空間内に少なくとも部分的に配置され、ハンドル組立体は空間内で滑動可能であり、本体、少なくとも１つのパネル、及びハンドル組立体は、整列可能な計量分配手段をそれぞれ有する。本発明の好適実施態様によれば、本体の少なくとも２つの対向する壁は長手に接合され、第１の端及び第２の端で長手に接合される。更なる実施態様によれば、本体、少なくとも１つのパネル、及びハンドル組立体は、以下の材料、即ち、紙、プラスチック、箔プラスチック積層物、及び織物のうちの少なくとも１つで作製される。本体は、ガセット側壁を更に含み得る。更なる好適実施態様によれば、本体孔、計量分配孔、及びパネル孔は、実質的に類似の孔形状を有する。少なくとも１つのパネルは、本体の少なくとも２つの対向する壁の幅に及ぶ第１の端と第２の端とを含み得る。
【０００５】
更に本発明の範囲内にあるのは、第１の端と第２の端とを有する他の容器であり、本体は、容器の密閉された容積を定め、第１の端と第２の端との間で長手に延びる少なくとも２つの対向する壁を更に含む。容器は、パネルを含み、パネルは、内表面と、パネルを本体に固定的に安定化させる安定化手段とを含む。加えて、容器は、対向する両端に第１のハンドルと第２のハンドルとを有するハンドル組立体を含み、ハンドル組立体は、パネルと本体との間に作り出される空間内に少なくとも部分的に配置され、ハンドル組立体は、計量分配孔と、少なくとも１つのハンドルがパネルと本体との間の空間内に入るのを防止するための手段とを有し、ハンドル組立体は、空間内で滑動可能である。更に、容器は、本体孔、パネル孔、及びハンドル組立体計量分配孔を通じて材料を計量分配することを含む、容器から材料を計量分配するための手段を含み、容器から材料を計量分配するための手段は、材料が容器を少なくとも部分的に充填する前に少なくとも１つの孔が少なくとも部分的に形成されること、及び材料が容器を少なくとも部分的に充填した後に少なくとも１つの孔が形成されることのうちの少なくとも１つを含む。容器の好適実施態様によれば、少なくとも１つのハンドルが空間内に部分的に配置される。更なる実施態様によれば、ハンドル組立体計量分配孔が予形成され、且つ／或いはハンドル組立体の少なくとも１つの端が、接続手段によって容器に解放可能に接続され、接続手段は、ヒートシール、穿孔付き継ぎ目、開封帯、解放可能な接着剤、及びベルクロ（登録商標）のうちの少なくとも１つを含む。
【０００６】
同様に本発明の範囲内にあるのは、容器を形成する方法である。方法は、本体を形成することを含み、本体は、第１の端と、第２の端とを有し、第１の端と第２の端との間に長手に延びる少なくとも２つの対向する壁を更に含み、少なくとも２つの対向する壁は長手に接合され、少なくとも第２の端で横方向に接合される。加えて、方法は、ハンドル組立体を形成すること、及びパネルを形成することを含み、ハンドル組立体は、２つの端と、計量分配孔とを有し、パネルは、外表面と、内表面と、幅と、長さとを有する。方法は、パネルと本体との間に空間を形成するよう、安定化手段を用いてパネルを本体に固定的に安定化させることを含み、ハンドル組立体は、空間内に少なくとも部分的に配置される。容器を形成する方法の好適実施態様は、接続手段によってハンドル組立体の少なくとも１つの端を容器に解放可能に接続することを含み、接続手段は、ヒートシール、穿孔付き継ぎ目、開封帯、解放可能な接着剤、及びベルクロ（登録商標）のうちの少なくとも１つを含む。更なる実施態様によれば、容器の方法は、本体が本体孔を含みこと及びパネルがパネル孔を含むことのうちの少なくとも１つを含み、本体孔及びパネル孔は予形成される。
【０００７】
同様に本発明の範囲内にあるのは、材料を計量分配する方法である。材料を計量分配する方法は、容器を得ることを含み、容器は、本体と、ハンドル組立体と、パネルとを有し、本体は本体孔を備え、本体は材料を収容する容積を保持可能であり、ハンドル組立体は、少なくとも２つの端と、それらの間の計量分配孔とを有し、パネルは、パネルと本体との間に空間を形成するよう、安定化手段によって本体に固定的に安定化させられるパネル孔を有し、ハンドル組立体は、空間内に少なくとも部分的に配置される。加えて、方法は、ハンドル組立体によって容器を保持することを含み、計量分配孔を少なくとも１つの本体孔に対して移動させるために、ハンドル組立体の少なくとも１つの端を移動させることを含む。方法は、計量分配孔を少なくとも本体孔と少なくとも部分的に整列させることによって、容器から材料を調節可能に計量分配することも含む。材料を計量分配する方法の更なる実施態様によれば、本体孔及びパネル孔のうちの少なくとも１つが予形成される。方法は、本体孔及びパネル孔の少なくとも１つが使用者によって形成されることを含み得る。
【０００８】
本発明のこれらの及び他の目的は、図面、詳細な記載、及び付属の請求項の観点から見られるときに顕かになるであろう。
【０００９】
本発明は、特定の部品及び部品の配置における物理的形態を取り得る。本発明の好適実施態様を明細書中に記載し且つ明細書の一部を形成する図面中に例示する。
【図面の簡単な説明】
【００１０】
【図１】容器の本体とパネルとの間に部分的に配置されるハンドル組立体を有する容器を示す上側斜視図である。
【図２】図１に例示する容器を示す他の上側斜視図であり、容器の反対側を例示している。
【図３】図１−２に例示する容器を示す分解組立図である。
【図４Ａ】図１−２中の断面４−４に沿って取られた容器を示す断面図であり、ハンドル組立体の両端は容器から分離され、材料を容器から計量分配している。
【図４Ｂ】図４の断面図に実質的に類似する断面図であり、材料を容器から計量分配し得ないよう、ハンドル組立体は代替的な位置にある。
【図５】本体孔を有する本体を示す底面図である。
【図６】両方とも孔を有する（仮想線において部分的に例示する）本体及びハンドル組立体を示す底面図であり、本体孔及び計量分配孔は部分的に整列させられている。
【図７】（仮想線において部分的に例示する）本体及びハンドル組立体を示す他の底面図であり、本体孔及び計量分配孔は、図６に例示する本体孔及び計量分配孔の整列に対してより大きい程度で部分的に整列させられている。
【図８】ハンドル組立体を有する代替的な容器を示す上側斜視図である。
【図９】ハンドル組立体を有する更に他の代替的な容器を示す上側斜視図である。
【図１０】ハンドル組立体を有する容器を形成し且つ使用する方法を示すフローチャートである。
【図１１】ハンドル組立体を有する容器を形成し且つ使用する方法を示すフローチャートである。
【発明を実施するための形態】
【００１１】
次に、図示が本発明の実施態様を例示する目的のためだけであり本発明を限定する目的のためではない図面を参照すると、図１−２は、容器２０を示しており、容器２０は、本体２２と、本体に固定的に安定化（固定）されるパネル２４と、少なくとも１つの計量分配孔２８を有するハンドル組立体２６とを有する。図３は、図１−２に例示する容器２０の分解図を示している。容器は、例えば、以下に議論する材料から作製され、且つある材料を保持し、貯蔵し、且つ／或いは輸送するよう構成される、任意の大きさのバッグ、サック、ボックス、カートン、又はトートを意味するよう定められる。例示の実施態様において、ハンドル組立体２６は、本体２２とパネル２４との間に形成される空間５４内に部分的に配置され、且つその空間５４内で滑動可能である。本体２２の容積３０、例えば、密閉容積内に貯蔵される（図４Ａ−４Ｂに示す）材料の取扱い、貯蔵、及び計量分配を容易化するために、容器２０を用い得る。ハンドル組立体２６は、容器２０の取扱い及び運搬を容易化するのに対し、本体２２、パネル２４、及びハンドル組立体２６の組み合わせは、容器２０からの材料の調節可能な計量分配を容易化する。容器２０内に貯蔵される材料は、サブマージドアーク溶接プロセス又は他の溶接プロセスにおける使用のための粉末状又は顆粒状のフラックス材料を含み得るが、それらのプロセスに限定されない。
【００１２】
構造上、本体２２、パネル２４、及びハンドル組立体２６の各々を、単層又は多層の紙、プラスチック、箔プラスチック積層物、及び織物を含む材料のうちの少なくとも１つで形成し得るが、それらの材料に限定されない。適用の要件に依存して、本体２２、パネル２４、及びハンドル組立体２６を同じ又は異なる材料から構築し得る。構造の材料の選択は、用途の設計基準に基づき推定され、材料を運搬し且つ／或いは材料を容器２０内に保持するために、非限定的要因、即ち、引裂き強度、摩耗の厳しさ、穿刺抵抗等を含む。１つの実施態様において、１つの材料は、熱融着（ヒートシール）可能な材料である。熱融着可能な材料は、シール又は閉鎖、例えば、空気、水分、又は不正開封に対する熱融着又は封鎖を形成するよう、熱及び圧力によってそれ自体に或いは他の材料に結合し得る材料を意味するよう定められる。ヒートシール（熱融着）を当該技術分野において既知の熱融着プロセスによって形成可能であり、そこでは、熱融着可能な材料は、ヒートシールを形成するのに十分な温度及び圧力に晒される。１つの実施例では、低密度ポリエチレンにおいてヒートシールを形成するとき、温度は約１４０℃であってよく、圧力はシール結合表面の平方インチ当たり約５０ポンドであってよい。
【００１３】
図１−２における熱融着可能な材料は熱可塑性材料であり得るが、本体２２、パネル２４、及びハンドル組立体２６を当該技術分野において既知の任意の熱融着可能な材料で構築し得ることが想定される。より具体的には、熱融着可能な材料は、低密度ポリエチレンであり得る。しかしながら、本体２２、パネル２４、及びハンドル組立体２６の各々を異なる熱融着可能な材料で構築し得ることも更に想定される。例えば、本体２２及びパネル２４を１つの熱融着可能な材料で構築し、ハンドル組立体２６を異なる熱融着可能な材料で構築し得る。代替的に、本体は、少なくとも熱融着可能な材料と第２の材料との積層物を含み得る。例えば、不透湿性容器を必要とする用途において、本体は、任意的に熱融着可能であり得る外部プラスチック層と、不透湿性であり得る中間金属箔層と、内部熱融着可能材料とを含み得る。本体、パネル、及び／又はハンドル組立体を、紙及びプラスチックで作製し得る。例えば、ハンドル組立体を、接着剤で本体に接続される或いは本体に熱融着されるプラスチックで作製される両端を有する紙で作製し得る。本体、パネル、及びハンドル組立体を、以下の材料、即ち、厚紙及び／又はクラフト紙を含む当該技術分野において既知の任意の形成可能な紙材料、カンバスを含む当該技術分野において既知の任意の形成可能な織物材料、及び当該技術分野において既知の任意の形成可能な箔プラスチック積層材料のうちの少なくとも１つで形成し得る。形成可能な材料は、ここに請求する容器の部分又は構成部品に成形し得る材料を意味するよう定められる。
【００１４】
図１−３を再び参照すると、少なくとも一片の材料で本体２２を形成し得るし、本体２２は任意的な本体孔３１を含み得る。例えば、本体２２は、一体構造、或いは接着剤、スティッチ、又はヒートシールのような手段によって一体に付着させられる２つ又はそれよりも多くの部分で作製される構造であり得る。例示の実施態様において、本体２２は、第１の端３２と、第２の端３４と、第１の壁３６及び第２の壁３８を含む少なくとも２つの対向する壁とを更に含み、各壁は、幅Ｗ１を有し得る。第１の壁３６及び第２の壁３８は、第１の端３２と第２の端３４との間で長手に延び、第１の端３２及び第２の端３４で、例えば、横方向に接合される。
【００１５】
更に、図１―３において、本体２２は、第１の端３２と第２の端３４との間で長手に延びる第１の側壁４０及び第２の側壁４２を任意的に含む。代替的に、第１の側壁４０及び第２の側壁４２は、ガセット側壁である。本発明の１つの特徴において、本体は側壁を含まなくてよく、従って、第１の壁及び第２の壁を、各壁の長手縁によって互いに長手に接合し得る、例えば、ヒートシール又はホットメルト接着剤又は水溶性コールド接着剤を非限定的に含む接着剤を用いて接合し得る。本発明の他の任意的な特徴において、本体は、容器に材料を充填するために使用される入口を含む。容器が入口を含まないとき、本体は容器が材料で充填された後に封止される。
【００１６】
図１−３において、パネル２４は、本体２２のプロファイルに従い、外表面４４と、内表面４６と、第１の端４８と、第２の端５０とを含む。パネル２４は、第２の端３４を含む本体２２のプロファイルの周りに延在する曲線長Ｌ１を有するのが好ましい。パネル２４は、第１の壁３６及び第２の壁３８に隣接して第１の壁３２に向かって長手に延びている。パネル２４は、幅Ｗ１の少なくとも一部に亘る幅Ｗ２を有する。例えば、Ｗ２は、幅Ｗ１の２分の１、３分の２、又は４分の３であり得るか（図８を参照）、或いは幅Ｗ１と等しくあり得る。本体の第１の壁及び第２の壁に隣接して位置付けられるパネルの部分は、長手方向において等しくても等しくなくてもよい。他の実施態様において、パネル２４は、第１の壁及び／又は第２の壁に隣接して延在しない。例えば、パネル２４は、１つの平面に隣接してのみ延在し得る。代替的に、パネル２４は、側壁まで延び得る。例えば、パネル２４は、本体の側壁に安定的に付着されるキャップの形状を有し得る。
【００１７】
更に、図１−２において、パネル２４は、少なくとも２つの場所において安定化手段５２（固定手段）によって本体２２に固定され、本体２２とパネル２４との間の空間５４を形成する。安定化手段５２は、空間５４内にハンドル組立体２６を収容する機能を果たす。安定化手段５２は、接着剤、スティッチ、スナップ、ヒートシール、縁ボンド、及び任意の様々の他の適切な機械的締結構成のうちの少なくとも１つを含み得る。例えば、図１−２において、パネル２４は、少なくともパネル２４の第１の端４８及び第２の端５０と本体２２との間に適用されるホットメルト接着剤によって、本体２２の第２の端３４並びに壁３６及び３８に固定的に安定化させられ、パネル２４の幅Ｗ２の少なくとも一部に延びる空間５４を形成する。パネルの第１の端及び第２の端を、本体の第２の端に、及び／又は第１及び第２の壁３６，３８に少なくとも部分的に安定化させ得る。代替的に、パネルを少なくとも２つの場所において本体に固定的に安定化させ得る。その場合、少なくとも１つの場所は、パネルの端ではない。加えて、従って、可ネルを一方又は両方の端に解放可能に接続し得るし、１つの容器における使用のためにハンドル組立体を本体とパネルとの間の空間内に解放可能に挿入し、後に、容器から取り外して他の容器内で再使用し得る。
【００１８】
パネルは、例えば、平坦な又は平面的な、代替的な形状又は側方プロファイルを有し得るし、第１の壁、第２の壁、第１の端、第２の端、第１の側壁、及び第２の側壁を非限定的に含む、本体の少なくとも一部に固定的に安定化させ得る。例えば、パネルは平坦で有り得るし、少なくとも２つの場所において安定化手段によって本体の第１の壁に固定的に安定化させて、ハンドル組立体が少なくとも部分的に配置されるパネルと本体との間の空間を形成し得る。代替的に、パネルは、正方形、砂時計形状、又は当該技術分野において既知の形状の組み合わせ非限定的に含む、他の形状を有し得る。
【００１９】
図３に例示するように、パネル２４は、パネル２４が本体に固定的に安定化させられるときに本体孔３１と実質的に整列させ得るパネル孔５６を任意的に含む。換言すれば、それらの孔の大きさ及び形状が類似するならば、パネルが本体に安定化せられるとき、それらの孔は互いに対して鏡像位置にあり得る。本体孔及びパネル孔を少なくとも部分的に整列させ得る。代替的に、パネルは、穿孔ゾーンを含み得るし、或いは人がパネルに孔を形成するのを容易化するために使用し得る印刷又はグラフィック、例えば、「ここに孔を穿けよ」を含み得る。
【００２０】
図１−３を再び参照すると、ハンドル組立体２６は、本体２２とパネル２４との間の空間によって少なくとも部分的に配置され且つ滑動可能に受け入れられ、本体２２の対向する両側に隣接して長手に延びる。ハンドル組立体２６が空間５４内に配置され且つ空間５４内で滑動するとき、ハンドル組立体２６は本体２２とパネル２４との間の空間５４の形状に少なくとも部分的に従う。
【００２１】
図１−３に更に例示するように、ハンドル組立体２６は、対向する両端を含み、任意的に、第１のハンドル５８と、第２のハンドル６０とを含む。ハンドルを別個に形成してハンドル組立体に付着させ、或いはハンドル組立体の一部として一体的に形成し得る。任意的に、第１のハンドル５８及び第２のハンドル６０は、（仮想線において示す）ハンドル孔６２を含む。ハンドル組立体２６は、本体２２内に貯蔵される材料重量、例えば、溶接フラックス材料の重量を支持するよう構成され、且つハンドル組立体２６の対向する両端の少なくとも一方に加えられる力に打ち勝つよう構成される。
【００２２】
図１−２に例示するように、ハンドル組立体２６は、第１のハンドル５８から延びる第１の取付けタブ５７と、第２のハンドル６０から延びる任意的な第２の取付けタブ５９とを更に含む。取付けタブは、ハンドル組立体の少なくとも一部に亘って広がる。第１の取付けタブ５７及び第２の取付けタブ５９は、製造時に本体２２に接続されて或いは使用の間に本体２２に解放可能に接続されて示されている。取付けタブ及び／又はハンドルが本体から解放させられるとき、容器２０を運搬して容器２０から材料を計量分配（ディスペンス）するために、ハンドル組立体２６を調節可能に位置付け得る。例示の実施態様において、第１の取付けタブ５７は、本体２２の第１の端３２に熱融着させられ、第２の取付けタブ５９は、本体２２の第２の壁３８に熱融着させられる。更に、第１のハンドル５８は、第１の開封帯６４を含み、第２のハンドル６０は、第２の開封帯６６を含み、各々の開封帯は、ハンドル組立体２６の幅Ｗ３の少なくとも一部に亘って横方向に広がる。開封帯は、ハンドルを取付けタブ、本体、又は容器の他の部分から分離するために引っ張り得る、穿孔、紐、又は帯の形態を取り得る。従って、第１のハンドル５８及び第２のハンドル６０をハンドル組立体２６の熱融着させられた取付けタブからそれぞれ解放させるために、第１の開封帯６４及び第２の開封帯６６を引っ張り、引き裂き、或いは切断し得る。この実施態様では、開封帯がハンドルを本体から解放させた後、取付けタブは本体に安定化させられたままである。代替的に、解放可能な接着剤を用いて、取付けタブを本体に接続し得る。従って、容器は開封帯を有さなくてよい。代替的に、ヒートシール、穿孔付き継ぎ目、恒久的な又は解放可能な接着剤、開封帯、及びベルクロ（登録商法）のうちの少なくとも１つのような接続手段によって、ハンドル組立体の少なくとも一部を容器の少なくとも一部に安定化させ得るが、それらの接続手段に限定されない。
【００２３】
加えて、本体、パネル、及びハンドル組立体の少なくとも１つは、構造的支持をもたらし得る並びに特定の容器形状を維持するのを助け得る強化材を含み得る。本体、パネル、及びハンドル組立体を含む容器を様々の適切な形状及び大きさのうちのいずれかにおいて提供し得ることが理解されよう。容器は、本体又は容器の他の部分に取り付けられる持上げ部材、例えば、持上げループも含み得る。
【００２４】
図１−３に例示する本発明の他の特徴において、第１の壁の第１の端を、第２の壁の第１の端に直接的に接合し得るし、且つ／或いは、第１の壁の第２の端を、第２の壁の第２の端に直接的に接合し得る。即ち、それらの壁は熱融着によって接合させられ、容器は、図１に例示する平坦な横方向に延びる第１及び第２の端を含まない。加えて、ホットメルト接着剤又は水溶性コールド接着剤を非限定的に含むスティッチ又は接着剤のような機械的接続が、それらの壁の端を接合させ得る。
【００２５】
本発明の他の任意的な特徴において、ハンドル組立体を本体の周囲に隣接して延びる連続的なハンドル組立体として構成し得る。連続的なハンドル組立体は、一体的な構造、例えば、連続ループを有し得るし、或いは、連続的なハンドル組立体を形成するよう、少なくとも１つの場所において一体的に接合され得る、例えば、少なくとも１つの場所において熱融着され得る。連続的なハンドル組立体は、別個に形成してハンドル組立体に取り付け得る或いはハンドル組立体の一部として一体的に形成し得るハンドルを含む。任意的に、連続的なハンドル組立体は、容器の使用の直前に穿孔し或いは形成し得る少なくとも１つの計量分配孔を含む。容器と共に組み立てられるとき、連続的なハンドル組立体は、（上で議論した）本体と第１のパネルとの間の空間内を含めて、任意的に、本体と任意的な第２のパネルとの間に形成される他の空間内を含めて、本体の周囲の周りに延びる。例えば、任意的な第２のパネルをパネルに対して容器の対向する側に安定的に（固定的に）取り付け得る。更に、少なくとも１つのパネルは、容器を運搬し或いは計量分配するときに容器を所望の位置に維持するのを容易化するハンドルを任意的に含む。
【００２６】
図４Ａは、本体２２とパネル２４との間の空間５４内に配置されるハンドル組立体２６を有する、図１中の断面４−４に沿って取られた容器２０の断面図であり、第１のハンドル５８及び第２のハンドル６０は容器２０から分離され、容器２０を１つの場所から他の場所に輸送するのを容易化するよう人（図示せず）によって保持される。計量分配するために、使用者は、ハンドル組立体２６を、結果的に、計量分配孔２８を、材料が容器２０から計量分配されることを使用者が欲する本体２２とパネル２４との間の位置まで滑動可能に移動させる。例えば、計量分配孔２８、本体孔３１、及びパネル孔５６の少なくとも部分的な整列又はオーバーラップ（重なり合い）があるとき、容器２０から材料７０を計量分配するための開口６８が生じる。例示の実施態様において、孔２８，３１，５６は実質的に整列させられ、材料７０が容器２０から計量分配する。
【００２７】
計量分配孔２８は、本体孔３１及びパネル孔５６に対して滑動可能であり、開口を１つ又はそれよりも多くの閉塞位置と１つ又はそれよりも多くの開放位置との間で調節可能にする（図５−７を参照）。閉塞位置、例えば、図４Ｂに例示する位置において、計量分配孔２８は、他の孔と整列せず或いは重なり合わず、従って、ハンドル組立体２６は、本体孔３１及びパネル孔５６を通じる材料の計量分配を実質的に防止する。開放位置、例えば、図４Ａに例示する位置において、計量分配孔２８は、本体孔３１、計量分配孔２８、及びパネル孔５６を順次的に通じる材料７０の計量分配を容易化し得る。これらの孔の滑動可能な整列は、容器２０からの材料の無限に異なる速度の流れ又は計量分配を容易化する。換言すれば、整列が大きければ大きいほど、流れはより大きい。代替的に、計量分配孔は、それらの各々が特定の流速に対応する複数の所定の位置又はストップ（制御装置）の間で滑動可能であり得る。
【００２８】
任意的に、容器２０を保持する人が開口の特性を知るよう、第１のハンドル５８及び／又は第２のハンドル６０を容器２０の上に印す（図２−３に例示する）表示器６７と実質的に整列させ得る。例えば、表示器６７は、ハンドルの位置が特定の開口サイズの５０％、７５％、又は１００％である或いは特定の計量分配速度の５０％、７５％、又は１００％である開口を作り出すことを特定し得る。
【００２９】
更に、図４Ａにおいて、ハンドル５８及び６０は、厚さＴ１を有し、各々のハンドルの厚さは、ハンドル組立体２６を空間５４内に部分的に配置させ且つ本体２２とパネル２４との間で滑動可能に調節させ得るように構成される。ハンドルは、ハンドル組立体の移動を容易化させるよう人が保持し得るハンドル組立体の任意の部分であるよう定められる。例示の実施態様において、ハンドル５８及び６０並びにハンドルの間の領域６１は、本体２２とパネル２４との間の空間５４の距離Ｄ１未満の厚さを有する。例えば、ハンドル及びハンドルの間の領域の厚さは、均等な又は不均等な厚さを非限定的に含む厚さの任意の組み合わせであり得る。その場合、それらの厚さは、本体とパネルとの間の空間の距離未満である。
【００３０】
代替的に、少なくとも１つのハンドル又はハンドルの間の領域の少なくとも一部は、パネルと本体との間の空間の距離よりも大きい厚さを有し得る。従って、空間内のハンドル組立体の移動を限定し得る。例えば、第２のハンドルは、空間の距離よりも僅かに大きい厚さを有し得る。従って、第２のハンドルは、空間内に滑動可能に移動しない。加えて、容器の使用の間の貯蔵目的のために少なくとも１つのハンドルを本体とパネルとの間の空間内に部分的に配置し得るよう、ハンドルの厚さを構成し得る。ハンドル組立体は、本体とパネルとの間の空間内のハンドル組立体の移動を限定するスペーサを含む、少なくとも１つのハンドルがパネルと本体との間の空間内に進むのを防止するための手段を含み得る。ハンドル組立体は、ハンドル組立体と本体及び／又はパネルとの間の移動を少なくとも部分的に防止する少なくとも１つの区画上の摩擦材料を含み得るし、ハンドルのうちの少なくとも一方は、非平面的な形状、例えば、本体とパネルとの間の空間内のハンドル組立体の移動を制限する波形の形状を含み得る。
【００３１】
図５−７を参照すると、計量分配孔２８を本体孔３１及び／又はパネル孔と少なくとも部分的に整列させることによって、ここで議論した容器を調節可能に開閉し得る（例示の便宜のためにパネル及びパネル孔を図５−７に示していない）。図５に例示するように、本体２２は、本体孔３１を含む。図６において、計量分配孔２８は本体孔３１と部分的に整列させられて示され、容器２０内に（陰影付きオーバーラップによって示す）開口６８を形成する。更に、図７において、計量分配孔２８及び本体孔３１は、より大きい部分的な整列を有し、容器２０内に（図６に対して）より大きい開口６８を形成するよう例示されている。従って、図６−７は、開口６８を形成するためにハンドル組立体２６が本体２２及びパネルに対してどのように調節可能に移動するかの実施例を例示している。
【００３２】
代替的な形状、大きさ、量、及び／又はパターンを様々の組み合わせにおいて有するよう、計量分配孔２８、本体孔３１、及びパネル孔５６を構成し得る。孔を通じる材料の通過を可能にするよう、製造時に、或いは初期計量分配時のように、後に、孔を形成し得る。孔は完全に形成された或いは後の形成を容易化するよう部分的に形成された領域であり得る。孔の少なくとも１つは、三角形、卵形、正方形、長方形、及び当該技術分野において既知の他の形状のうちの少なくとも１つの形状を有し得る。計量分配孔、本体孔、及び／又はパネル孔は、１つよりも多くの孔を含み、図１−３に例示するものと別の大きさの孔を有し、且つ／或いはパターンを備える孔を有し得る。例えば、ハンドル組立体は、疎らなパターンの孔から緻密なパターンの孔まで及ぶパターンを含む一群の孔を有し得る。任意的に、孔は、感圧接着剤によって孔の周りに張り付けられる覆いを更に含み得る。感圧パッチは孔を保護する。容器の１つの部分を容器の他の部分に解放可能に固定するためにも感圧パッチを用い得る。例えば、計量分配孔を保護する感圧パッチを、計量分配孔と本体との間の移動を防止するよう、計量分配孔及び本体を定めるハンドル組立体の周囲に解放可能に安定化させ得る。
【００３３】
図８は、容器７２が代替的なパネル７６及びハンドル組立体７８を含む点をを除き、材料、構造、及び容器機能を含めて、上で議論した容器２０に類似する、代替的な容器７２の上側斜視図である。容器２０と同様に、容器７２のパネル７６は、パネル７６の２つの横方向端部で安定化手段８０によって本体７４に固定的に安定化され、ハンドル組立体７８は、本体７４とパネル７６との間の空間８２内に少なくとも部分的に配置され且つその空間内で滑動可能である。しかしながら、パネル７６は、幅Ｗ４を有し、ハンドル組立体７８は、本体７４の幅Ｗ１未満の幅Ｗ５を有する。例えば、容器がより低い密度の材料を保持するよう構成されるときに、図８に例示するようなより小さい幅を有するハンドル組立体を用い得る。加えて、容器は、第２の端が所望の形状を維持するのを保証するよう、ハンドル組立体との組み合わせにおいて用いられる第２の端強化材を含み得る。代替的に、ハンドル組立体７８の幅Ｗ５は、パネル７６の幅Ｗ４の一部であり得る。
【００３４】
図９は、容器８４が代替的な本体８６及びパネル８８を含む点を除き、材料、構造、及び容器機能を含めて、上で議論した容器２０に類似する、更に他の代替的な容器８４の上側斜視図を例示している。本体８６は、長手に延びる壁９０及び９２を含み、壁９０及び９２の各々は、第１の端９４と第２の端９６との間に延在する。第１の端９４及び／又は第２の端９６は、半円の側部プロファイルを有し、従って、パネル８８及び／又は本体８６の長手両端は、実質的に類似の半円の側方プロファイルを有する。ここ議論した容器形状及びプロファイルは限定的であることが意図されていない。
【００３５】
図１０は、ハンドル組立体を有する容器を形成する方法の１つの実施態様を例示するフローチャート１００である。１０２で、第１の端と、第２の端と、第１の端と第２の端との間に長手に延びる少なくとも２つの対向する壁とを有する本体を形成する。１０４で、計量分配孔を有するハンドル組立体を形成し、１０６で、少なくとも内表面と、幅と、長さとを有するパネルを形成する。１０８で、空間を形成するよう、安定化手段を用いてパネルを本体に固定的に安定化させる。その場合、ハンドル組立体は空間内に少なくとも部分的に配置され、その空間内で滑動可能である。任意的に、１１０で、接続手段によって、ハンドル組立体の少なくとも１つの端を容器に解放可能に接続する。接続手段は、ヒートシール、穿孔付き継ぎ目、開封帯、解放可能な接着剤、及びベルクロ（登録商標）を含み得る。代替的に、パネルは、パネル孔を有し得るし、且つ／或いは本体は、本体孔を有し得る。パネル孔及び本体孔は、使用者によって穿孔され、或いは形成される。
【００３６】
図１１は、材料を計量分配する方法の１つの実施態様を例示するフローチャート１１２である。１１４で、材料を収容する容積を有する本体と、パネルと、少なくとも２つの端と計量分配孔とを有するハンドル組立体とを含む、容器を得る。その場合、ハンドル組立体は、本体とパネルとの間の空間内に部分的に配置される。１１６で、ハンドル組立体によって容器を保持する。１１８で、計量分配孔が少なくとも本体及び／又はパネルに対して移動するよう、ハンドル組立体の少なくとも１つの端を移動させる。１２０で、材料を容器から調節可能に計量分配する。任意的な１２２で、本体孔及び／又はパネル孔が予形成され、或いは使用者によって形成される。
【００３７】
特定の実施態様を参照して本発明を記載したが、当業者は本発明の範囲から逸脱することなく様々の変更を行い得ること並びに均等物と置換し得ることを理解するであろう。加えて、本発明の範囲から逸脱せずに、特定の状況又は材料を本発明の教示に適合させるために、多くの変更を行い得る。従って、本発明は開示の特定の実施態様に限定されず、本発明は付属の請求項の範囲内に入る全ての実施態様を含むことが意図されている。
【符号の説明】
【００３８】
２０    容器
２２    本体
２４    パネル
２６    ハンドル組立体
２８    計量分配孔
３０    容積
３１    本体孔
３２    第１の端
３４    第２の端
３６    第１の壁
３８    第２の壁
４０    第１の側壁
４２    第２の側壁
４４    外表面
４６    内表面
４８    第１の端
５０    第２の端
５４    空間
５６    パネル孔
５７    取付けタブ
５８    第１のハンドル
５９    取付けタブ
６０    第２のハンドル
６１    領域
６４    第１の開封帯
６６    第２の開封帯
６７    表示器
６８    開口
７０    材料
７２    容器
７４    本体
７６    パネル
７８    ハンドル組立体
８０    安定化手段（固定手段）
８２    空間
８４    容器
８６    本体
８８    パネル
９０    延在する壁
９２    延在する壁
９４    第１の端
９６    第２の端
１００  フローチャート
１１２  ステップ
１０４  ステップ
１０６  ステップ
１０８  ステップ
１１０  ステップ
１１２  フローチャート
１１４  ステップ
１１６  ステップ
１１８  ステップ
１２０  ステップ
１２２  ステップ
Ｄ１    距離
Ｌ１    長さ
Ｔ１    厚さ
Ｗ１    幅
Ｗ２    幅
Ｗ３    幅
Ｗ４    幅
Ｗ５    幅
2014534132.tif 000003
【図２】
2014534132.tif 000004
【図３】
2014534132.tif 000005
【図４Ａ】
2014534132.tif 000006
【図４Ｂ】
2014534132.tif 000007
【図５】
2014534132.tif 000008
【図６】
2014534132.tif 000009
【図７】
2014534132.tif 000010
【図８】
2014534132.tif 000011
【図９】
2014534132.tif 000012
【図１０】
2014534132.tif 000013
【図１１】
2014534132.tif 000014
【国際調査報告】
2014534132.tif 000015
2014534132.tif 000016
2014534132.tif 000017